【事件の表示】
　特許第５８２８１０２号発明「ＬＥＤ点灯装置及びそれを用いた照明器具」の特許異議申立事件について、次のとおり決定する。
【結　論】
　特許第５８２８１０２号の明細書及び特許請求の範囲を訂正請求書に添付された訂正明細書及び特許請求の範囲のとおり、訂正後の請求項〔１−４〕について訂正することを認める。
　特許第５８２８１０２号の請求項１ないし４に係る特許を維持する。
【理　由】
第１　手続の経緯
　特許第５８２８１０２号の請求項１〜４に係る特許についての出願は、平成２２年１２月２０日に特許出願され、平成２７年１０月３０日にその特許権の設定登録がされ、その後、その特許に対し、平成２８年６月１日付けで特許異議申立人　井上　満（以下「申立人」という。）により特許異議の申立てがなされ、平成２８年８月１８日付けで取消理由が通知され、その指定期間内である同年１０月２１日付けで意見書の提出及び訂正請求がなされ、平成２９年１月１８日付けて取消理由（決定の予告）が通知され、その指定期間内である同年３月２７日付けで意見書の提出及び訂正請求があり、その訂正の請求に対して同年４月２８日付けで申立人から意見書が提出されたものである。
第２　訂正の適否
１　訂正の内容
　平成２８年１０月２１日付けの訂正請求は、特許法第１２０条の５第７項の規定により、取り下げられたものとみなされるので、平成２９年３月２７日付けの訂正の請求（以下、「本件訂正請求」という。また、本件訂正請求に係る訂正を「本件訂正」という。）について、以下適否の判断を行う。
　本件訂正請求は、本件特許の願書に添付した明細書及び特許請求の範囲を、訂正請求書に添付した訂正明細書及び特許請求の範囲のとおり訂正することを求めるものであり、その訂正の内容は以下のとおりである。（下線部は訂正箇所を示す。以下の訂正事項２〜６も同様。）
（１）訂正事項１
　特許請求の範囲の請求項１に記載された、
「電源電圧を所定の直流電圧に変換してＬＥＤ光源に出力する電力変換部と、
　前記電力変換部の出力を制御する出力制御部とを備え、
　前記電力変換部は、インダクタンス素子及びコンデンサの直列回路と、前記インダクタンス素子と直列に接続されて前記出力制御部によってオン・オフされるスイッチング素子と、前記スイッチング素子のオフ時に前記インダクタンス素子の放電経路を構成するダイオードとを備えたチョッパ回路からなり、
　前記出力制御部は、前記インダクタンス素子の二次巻線に発生する電圧を動作電源とし、点灯開始からの所定期間における前記ＬＥＤ光源への供給電流が、定常時における前記ＬＥＤ光源への供給電流よりも小さくなるように、前記所定期間における前記スイッチング素子のオン時間を、定常時における前記スイッチング素子のオン時間よりも短くしたことを特徴とするＬＥＤ点灯装置。」
を、
「電源電圧を所定の直流電圧に変換してＬＥＤ光源に出力する電力変換部と、
　前記電力変換部の出力を制御する出力制御部
と、
　前記出力制御部に動作電源を供給する制御電源部と
　前記電力変換部は、インダクタンス素子
の一次巻線
第１
第１
一次巻線
一次巻線
降圧
　
前記制御電源部は、抵抗及び第２コンデンサの第２直列回路を有し、前記第２直列回路における前記抵抗側の端部が前記インダクタンス素子の二次巻線に電気的に接続され、かつ前記抵抗と前記第２コンデンサとの接続点が前記出力制御部に電気的に接続され、
　前記出力制御部は、前記
二次
前記出力制御部は、前記電源電圧が供給された後、前記出力制御部の動作電源電圧が所定電圧に達したときに動作を開始して点灯動作が開始されるものであって、
に訂正する。
（２）訂正事項２
　特許請求の範囲の請求項２に記載された、
　「前記出力制御部は、前記インダクタンス素子に蓄積された電荷を放電する際に前記二次巻線に発生する正極性の電圧を動作電源としていることを特徴とする請求項１記載のＬＥＤ点灯装置。」
を、
　「前記出力制御部は、前記
一次巻線
に訂正する。
（３）訂正事項３
　特許請求の範囲の請求項３に記載された、
　「前記出力制御部は、前記インダクタンス素子に流れる電流がゼロになるタイミングで前記スイッチング素子をオンにする臨界モードで制御しており、
　前記インダクタンス素子に流れる電流を検出するための巻線を前記二次巻線で兼用していることを特徴とする請求項１又は２記載のＬＥＤ点灯装置。」
を、
　「前記出力制御部は、前記
一次巻線
　前記
一次巻線
に訂正する。
（４）訂正事項４
　明細書の段落【０００７】に記載された、
　「本発明のＬＥＤ点灯装置は、電源電圧を所定の直流電圧に変換してＬＥＤ光源に出力する電力変換部と、電力変換部の出力を制御する出力制御部とを備え、電力変換部は、インダクタンス素子及びコンデンサの直列回路と、インダクタンス素子と直列に接続されて出力制御部によってオン・オフされるスイッチング素子と、スイッチング素子のオフ時にインダクタンス素子の放電経路を構成するダイオードとを備えたチョッパ回路からなり、出力制御部は、インダクタンス素子の二次巻線に発生する電圧を動作電源とし、点灯開始からの所定期間におけるＬＥＤ光源への供給電流が、定常時におけるＬＥＤ光源への供給電流よりも小さくなるように、所定期間におけるスイッチング素子のオン時間を、定常時におけるスイッチング素子のオン時間よりも短くしたことを特徴とする。」
を、
　「本発明のＬＥＤ点灯装置は、電源電圧を所定の直流電圧に変換してＬＥＤ光源に出力する電力変換部と、電力変換部の出力を制御する出力制御部と
、出力制御部に動作電源を供給する制御電源部と
の一次巻線
第１
第１
一次巻線
一次巻線
降圧
制御電源部は、抵抗及び第２コンデンサの第２直列回路を有し、第２直列回路における抵抗側の端部がインダクタンス素子の二次巻線に電気的に接続され、かつ抵抗と第２コンデンサとの接続点が出力制御部に電気的に接続され、
、二
出力制御部は、電源電圧が供給された後、出力制御部の動作電源電圧が所定電圧に達したときに動作を開始して点灯動作が開始されるものであって、
に訂正する。
（５）訂正事項５
　明細書の段落【０００８】に記載された、
　「このＬＥＤ点灯装置において、出力制御部は、インダクタンス素子に蓄積された電荷を放電する際に二次巻線に発生する正極性の電圧を動作電源としているのが好ましい。」
を、
　「このＬＥＤ点灯装置において、出力制御部は、
一次巻線
に訂正する。
（６）訂正事項６
　明細書の段落【０００９】に記載された、
　「また、このＬＥＤ点灯装置において、出力制御部は、インダクタンス素子に流れる電流がゼロになるタイミングでスイッチング素子をオンにする臨界モードで制御しており、インダクタンス素子に流れる電流を検出するための巻線を二次巻線で兼用しているのも好ましい。」
を、
　「また、このＬＥＤ点灯装置において、出力制御部は、
一次巻線
一次巻線
に訂正する。
２　訂正の目的の適否、新規事項の有無、一群の請求項及び特許請求の範囲の拡張・変更の存否
（１）　訂正事項１は、本件特許の願書に添付した明細書の段落【００１４】、【００１５】、【００１７】、【００２４】、及び、【図１】に基づいて特許請求の範囲を減縮するものであって、新規事項の追加に該当せず、実質上特許請求の範囲を拡張し、又は変更するものではない。
（２）　訂正事項２及び３は、訂正事項１に伴う訂正であり、訂正事項１と同様に特許請求の範囲を減縮するものであって、新規事項の追加に該当せず、実質上特許請求の範囲を拡張し、又は変更するものではない。
（３）　訂正事項４〜６は、訂正事項１〜３の訂正に伴って、明細書と特許請求の範囲との記載とを整合させるためのものであり、明瞭でない記載の釈明を目的とし、新規事項の追加に該当せず、実質上特許請求の範囲を拡張し、又は変更するものではない。
（４）　また、訂正前の請求項１〜４は、請求項２〜４が、訂正の対象である請求項１の記載を引用する関係にあるから、訂正前において一群の請求項に該当するものである。
　したがって、訂正の請求は、一群の請求項ごとにされたものである。
（５）　小括
　したがって、上記訂正請求による訂正事項１〜６は、特許法第１２０条の５第２項ただし書第１号及び第３号に掲げる事項を目的とするものであり、かつ、同条第９項で準用する同法第１２６条第４項から第６項までの規定に適合するので、訂正後の請求項〔１〜４〕について訂正を認める。
第３　本件発明
　本件訂正請求により訂正された請求項１〜４に係る発明（以下「本件発明１〜４」という。）は、次の事項により特定されるとおりのものである。
「【請求項１】
　電源電圧を所定の直流電圧に変換してＬＥＤ光源に出力する電力変換部と、
　前記電力変換部の出力を制御する出力制御部と、
　前記出力制御部に動作電源を供給する制御電源部とを備え、
　前記電力変換部は、インダクタンス素子の一次巻線及び第１コンデンサの第１直列回路と、前記一次巻線と直列に接続されて前記出力制御部によってオン・オフされるスイッチング素子と、前記スイッチング素子のオフ時に前記一次巻線の放電経路を構成するダイオードとを備えた降圧チョッパ回路からなり、
　前記制御電源部は、抵抗及び第２コンデンサの第２直列回路を有し、前記第２直列回路における前記抵抗側の端部が前記インダクタンス素子の二次巻線に電気的に接続され、かつ前記抵抗と前記第２コンデンサとの接続点が前記出力制御部に電気的に接続され、
　前記出力制御部は、前記二次巻線に発生する電圧を動作電源とし、前記出力制御部は、前記電源電圧が供給された後、前記出力制御部の動作電源電圧が所定電圧に達したときに動作を開始して点灯動作が開始されるものであって、点灯開始からの所定期間における前記ＬＥＤ光源への供給電流が、定常時における前記ＬＥＤ光源への供給電流よりも小さくなるように、前記所定期間における前記スイッチング素子のオン時間を、定常時における前記スイッチング素子のオン時間よりも短くしたことを特徴とするＬＥＤ点灯装置。
【請求項２】
　前記出力制御部は、前記一次巻線に蓄積された電荷を放電する際に前記二次巻線に発生する正極性の電圧を動作電源としていることを特徴とする請求項１記載のＬＥＤ点灯装置。
【請求項３】
　前記出力制御部は、前記一次巻線に流れる電流がゼロになるタイミングで前記スイッチング素子をオンにする臨界モードで制御しており、
　前記一次巻線に流れる電流を検出するための巻線を前記二次巻線で兼用していることを特徴とする請求項１又は２記載のＬＥＤ点灯装置。
【請求項４】
　請求項１〜３の何れか１項に記載のＬＥＤ点灯装置と、前記ＬＥＤ光源が機械的且つ電気的に接続されるランプソケットと、前記ＬＥＤ点灯装置及び前記ランプソケットを保持する器具本体とを備えていることを特徴とする照明器具。」
第４　取消理由の概要
　訂正前の請求項１〜４に係る特許に対して平成２９年１月１８日付けで特許権者に通知した取消理由は、概略次のとおりである。
［取消理由１］この特許の請求項１〜４に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
［取消理由２］この特許は、発明の詳細な説明の記載が下記の点で、特許法第３６条第４項第１号に規定する要件を満たしていない。
　　　　　　　　　　　　　　　　　記
引用文献１　：特開２００７−２１５３１６号公報
引用文献２　：特開２０１０−２７９２４８号公報
引用文献３　：特開２００９−３２５１１号公報
引用文献４　：特開平４−１２１０５５号公報
　引用文献１〜３は、それぞれ、平成２８年６月１日付けの申立人による特許異議申立書（以下「申立書」という。）の甲第１号証、甲第２号証、甲第７号証、及び、甲第４号証である。
第５　当審の判断
１　取消理由１について
　引用文献１には以下の事項が記載されている（下線は当審で付与。以下同様。）。以下、（１ａ）等の記載事項を「摘示（１ａ）」などという場合がある。
（１ａ）
「【０００１】
　
本発明は、スイッチ素子がトランスの一次巻線に接続され、トランスの二次巻線から負荷に所定の出力電力を供給するようにしたスイッチング電源制御回路に関し
…
【０００３】
　
図４は、従来の擬似共振型のスイッチング電源の制御回路を示すブロック図である
（１ｂ）
「【００１０】
　つぎに、
上述した制御回路１０を用いたＡＣ／ＤＣスイッチング電源回路の構成例、およびそのＰＷＭ制御動作について説明する
　
図５は、ＡＣ／ＤＣスイッチング電源回路の一例を示すブロック図である
【００１１】
　なお、
図４の制御回路１０は、図５ではＡＣ／ＤＣスイッチング電源回路における集積回路ＩＣに相当する
集積回路の電源を供給する電源端子ＶＣＣ
起動電流を供給するＶＨ端子
【００１２】
　図５において、
交流電源ＡＣの交流入力は、ダイオードブリッジＤ１により整流され直流の入力電圧ＶINとなる
トランスＴ１は
一次巻線Ｌｐの他端がスイッチ素子Ｑ１のドレインと接続されている
スイッチ素子Ｑ１の
ゲートは抵抗Ｒ２を介して集積回路ＩＣの出力端子ＯＵＴに接続されている
【００１３】
　
トランスＴ１の一次巻線Ｌｐ、二次巻線Ｌｓおよび補助巻線Ｌｂは、いずれもトランスＴ１の同一コアに巻かれている
補助巻線Ｌｂには、集積回路ＩＣの電源を作るための整流用ダイオードＤ２と平滑コンデンサＣ２が接続されている
【００１４】
　
トランスＴ１の二次巻線Ｌｓには、二次巻線Ｌｓに発生した電圧を整流するためのダイオードＤ３、平滑コンデンサＣ３が設けられている
ダイオードＤ３のアノードは二次巻線Ｌｓの一端に接続され、カソードは電源出力端子Ｖｏｕｔに接続されるとともに平滑コンデンサＣ３の一端に接続されている
平滑コンデンサＣ３の他端は二次巻線Ｌｓの他端に接続されるとともに接地端子Ｇｎｄに接続されている
【００１５】
　
集積回路ＩＣは、その出力端子ＯＵＴの電位がハイ／ロウ（Ｈｉｇｈ／Ｌｏｗ）レベルに変化してスイッチ素子Ｑ１のゲートを駆動し、スイッチ素子Ｑ１をオン／オフさせることにより、トランスＴ１の二次巻線Ｌｓ側で平滑された直流電圧を電源出力端子Ｖｏｕｔと接地端子Ｇｎｄ間に生成する
スイッチ素子Ｑ１はその後にオフするが、このトランスＴ１に蓄えられたエネルギーにより、スイッチ素子Ｑ１のオフ期間にトランスＴ１の二次巻線Ｌｓ側でダイオードＤ３を通して平滑コンデンサＣ３に電流を流す
…
【００１７】
　図５の回路において、
スイッチ素子Ｑ１がオフになるとトランスＴ１に蓄えられたエネルギーが二次巻線Ｌｓ側の平滑回路に放出され
【００１８】
　このとき、
トランスＴ１の補助巻線Ｌｂには、その巻線数に比例した振幅のドレイン電圧Ｖｄｓに対応する電圧波形が現れる
ゼロ電流検出用の入力端子ＺＣＤは、トランスＴ１の一次巻線Ｌｐとは逆極性の補助巻線Ｌｂに接続されていることから、ここには０Ｖを中心とする振動波形のゼロ電流検出信号が現れる
【００１９】
　
集積回路ＩＣでは、ボトム検出回路１１において入力端子ＺＣＤに印加されるゼロ電流検出信号のゼロクロス検出が行われる
スイッチ素子Ｑ１のドレイン電圧Ｖｄｓが最低電圧（ボトム）となるタイミングで、フリップフロップ回路１９からアンド回路２０を介して出力端子ＯＵＴにスイッチング信号が出力される。これによりトランスＴ１を流れる電流がゼロの状態（共振回路では電圧と電流が１／４周期ずれている）でのスイッチング動作、すなわちソフトスイッチングが実現できる
【００２０】
　図６は、スイッチング周波数（ｆｓｗ）と出力電力（Ｐｏ）との関係を示す特性図である。
　電子機器などが待機状態であれば、
電源の出力端子に接続された出力負荷
負荷へ供給する電力
（１ｃ）　「【００４１】
　（実施の形態２）
　
図３は、実施の形態２に係るスイッチング電源制御回路を示す回路図である
擬似共振型のスイッチング電源制御回路としての基本的な構成は、図４に示す従来回路と同一であるため、従来回路の構成と同一部分には同じ符号を付けて、それらの説明は省略する
…
【００４９】
　さらに、電圧制御発振器２５はソフトスタート回路１８と共用することで、回路規模の増加を押える同様の効果をもつ。すなわち、
ソフトスタート回路１８は、スイッチ素子のターンオン期間を制限して、電源起動時に急にパルス幅が最大状態となることを防止し、徐々にターンオン期間を広げていく機能であって、ソフトスタート時間としては１ｍｓ以上の立ち上がり波形のパルスを生成する必要がある
（１ｄ）　引用文献１の【図３】、【図５】にはそれぞれ、以下の図が記載されている。
（２）　引用文献１に記載された発明
ア　引用文献１には、
（ア）　制御回路１０を用いたＡＣ／ＤＣスイッチング電源回路（摘示（１ｂ）【００１０】）の具体例として、
（イ）
ａ　交流電源ＡＣの交流入力は、ダイオードブリッジＤ１により整流され直流の入力電圧ＶINとなること（摘示（１ｂ）【００１２】）、
ｂ　直流電圧を電源出力端子Ｖｏｕｔと接地端子Ｇｎｄ間に生成すること（摘示（１ｂ）【００１５】）、
ｃ　電源の出力端子Ｖｏｕｔに出力負荷が接続され、電力が供給されること（摘示（１ｂ）【００２０】、摘示（１ｄ）【図５】）、
（ウ）　集積回路ＩＣは、スイッチ素子Ｑ１をオン／オフさせることにより、トランスＴ１の二次巻線Ｌｓ側で平滑された直流電圧を電源出力端子Ｖｏｕｔと接地端子Ｇｎｄ間に生成すること（摘示（１ｂ）【００１５】）、
（エ）
ａ　トランスＴ１の補助巻線Ｌｂには、集積回路ＩＣの電源を作るための整流用ダイオードＤ２と平滑コンデンサＣ２が接続されていること（摘示（１ｂ）【００１３】）、
ｂ　トランスＴ１の補助巻線Ｌｂは集積回路の電源を供給する電源端子ＶＣＣに接続されていること（摘示（１ｂ）【００１１】、摘示（１ｄ）【図５】）、
ｃ　トランスＴ１の補助巻線Ｌｂには、その巻線数に比例した振幅のドレイン電圧Ｖｄｓに対応する電圧波形が現れること（摘示（１ｂ）【００１８】）、
（オ）　トランスＴ１の二次巻線Ｌｓには平滑コンデンサＣ３が接続されるものであって（摘示（１ｂ）【００１４】）、その接続が直列回路を構成していること（摘示（１ｄ）【図５】）、
（カ）　トランスＴ１の一次巻線Ｌｐの他端がスイッチ素子Ｑ１と接続されるものであって（摘示（１ｂ）【００１２】）、その接続が直列であること（摘示（１ｄ）【図５】）、
（キ）　スイッチ素子Ｑ１のオフ期間にトランスＴ１の二次巻線Ｌｓ側でダイオードＤ３を通して平滑コンデンサＣ３に電流を流すものであって（摘示（１ｂ）【００１５】）、ダイオードＤ３はトランスＴ１の二次巻線Ｌｓの放電経路を構成すること（摘示（１ｄ）【図５】）、
（ク）　ソフトスタート回路１８は、集積回路ＩＣの一部をなすものであって（摘示（１ｄ）の【図３】及び【図５】、摘示（１ｂ）【００１１】、摘示（１ｃ）【００４１】。なお、【図５】は従来例、【図３】は実施例に係るものであるが、摘示（１ａ）の【０００１】及び摘示（１ｃ）の【００４１】によれば、実施例においても【図５】の回路への適用を当然に想定しているといえる。）、ソフトスタート回路１８は、スイッチ素子のターンオン期間を制限して、電源起動時に急にパルス幅が最大状態となることを防止し、徐々にターンオン期間を広げていくこと（摘示（１ｃ）【００４９】）、
が記載されており、また、
（ケ）　上記「（イ）ｂ」の直流電圧は、摘示（１ｄ）の【図５】及び技術常識から、上記「（イ）ａ」の直流の入力電圧ＶINを変換したものといえること、
（コ）　上記「（エ）」〜「（キ）」及び技術常識から、「トランスＴ１の一次巻線Ｌｐ」、「トランスＴ１の二次巻線Ｌｓ」、「平滑コンデンサＣ３」、「スイッチ素子Ｑ１」及び「ダイオードＤ３」（摘示（１ｄ）【図５】）は、技術常識からみて、「直流の入力電圧ＶIN」を「直流電圧」に変換する（上記「（ケ）」参照）電力変換回路を構成しているといえること、
（サ）　上記「（エ）」及び技術常識から、
ａ　トランスＴ１の補助巻線Ｌｂ、整流用ダイオードＤ２及び平滑コンデンサＣ２は、集積回路ＩＣに動作電源を供給するものであるといえること、
ｂ　集積回路ＩＣは、トランスＴ１の補助巻線Ｌｂに発生する電圧を動作電源としているといえること、
（シ）　集積回路ＩＣは、起動電流が供給されるＶＨ端子を備え（摘示（１ｂ）【００１２】）、ＶＨ端子は、交流電源ＡＣを交流入力としたダイオードブリッジＤ１の出力の一端に接続されること（摘示（１ｄ）【図５】）、
が明らかである。
イ　これらのことから、引用文献１には次の発明（以下、「引用発明」という。）が記載されていると認められる。
　「交流電源ＡＣの交流入力を直流の入力電圧ＶINとし、
　直流の入力電圧ＶINを電力変換回路により変換した直流電圧を電源出力端子Ｖｏｕｔと接地端子Ｇｎｄ間に生成し、電源出力端子Ｖｏｕｔに接続された出力負荷に電力を供給し、
　スイッチ素子Ｑ１をオン／オフさせることにより、電源出力端子Ｖｏｕｔと接地端子Ｇｎｄ間に直流電圧を生成する集積回路ＩＣと、
　集積回路ＩＣに動作電源を供給するトランスＴ１の補助巻線Ｌｂ、整流用ダイオードＤ２及び平滑コンデンサＣ２と、
　トランスＴ１の一次巻線Ｌｐと直列に接続されて集積回路ＩＣによってオン／オフされるスイッチ素子Ｑ１と、
　トランスＴ１の二次巻線Ｌｓと平滑コンデンサＣ３の直列回路と、
　スイッチ素子Ｑ１のオフ期間にトランスＴ１の二次巻線Ｌｓの放電経路を構成するダイオードＤ３とを備え、
　集積回路ＩＣは、トランスＴ１の補助巻線Ｌｂに発生する電圧を動作電源とし、
　集積回路ＩＣは、起動電流が供給されるＶＨ端子を備え、ＶＨ端子は、交流電源ＡＣを交流入力としたダイオードブリッジＤ１の出力の一端に接続され、
　電源起動時に急にパルス幅が最大状態となることを防止し、徐々にターンオン期間を広げるＡＣ／ＤＣスイッチング電源回路。」
（３）　対比・判断
（３−１）　本件発明１について
ア　本件発明１と引用発明とを対比する。
（ア）
ａ　引用発明の「交流電源ＡＣの交流入力を直流の入力電圧ＶIN」としたもの及び「直流の入力電圧ＶINを変換した直流電圧」はそれぞれ本件発明１の「電源電圧」及び「所定の直流電圧」に相当する。
ｂ　引用発明の「出力負荷」は、本件発明１の「ＬＥＤ光源」と「出力負荷」である限度で一致する。
ｃ　引用発明の「トランスＴ１」、「一次巻線Ｌｐ」、「スイッチ素子Ｑ１」、「平滑コンデンサＣ３」、「ダイオードＤ３」はそれぞれ、本件発明１の「インダクタンス素子」、「一次巻線」、「スイッチング素子」、「第１コンデンサ」、「ダイオード」に相当し、また、引用発明の「電力変換回路」は本件発明１の「電力変換部」に相当する。
ｄ　上記「ａ」〜「ｃ」より、引用発明の「交流電源ＡＣの交流入力を直流の入力電圧ＶINとし、直流の入力電圧ＶINを電力変換回路により変換した直流電圧を電源出力端子Ｖｏｕｔと接地端子Ｇｎｄ間に生成し、電源出力端子Ｖｏｕｔに接続された出力負荷に電力を供給」する構成は、本件発明１の「電源電圧を所定の直流電圧に変換してＬＥＤ光源に出力する電力変換部」と、「電源電圧を所定の直流電圧に変換して出力負荷に出力する電力変換部」である限度で一致する。
（イ）　引用発明の「集積回路ＩＣ」は本件発明１の「出力制御部」に相当し、上記「（ア）」の相当関係及び集積回路ＩＣの機能を鑑みれば、引用発明の「スイッチ素子Ｑ１をオン／オフさせることにより、電源出力端子Ｖｏｕｔと接地端子Ｇｎｄ間に直流電圧を生成する集積回路ＩＣ」は、本件発明１の「前記電力変換部の出力を制御する出力制御部」に相当する。
（ウ）　引用発明の「集積回路ＩＣに動作電源を供給するトランスＴ１の補助巻線Ｌｂ、整流用ダイオードＤ２及び平滑コンデンサＣ２」は、本件発明１の「出力制御部に動作電源を供給する制御電源部」に相当する。
（エ）
ａ　上記「（ア）」の相当関係より、引用発明の「トランスＴ１の一次巻線Ｌｐと直列に接続されて集積回路ＩＣによってオン／オフされるスイッチ素子Ｑ１」は本件発明１の「インダクタンス素子の」「一次巻線と直列に接続されて前記出力制御部によってオン・オフされるスイッチング素子」に相当する。
ｂ　上記「ａ」より、引用発明の「トランスＴ１の一次巻線Ｌｐと直列に接続されて集積回路ＩＣによってオン／オフされるスイッチ素子Ｑ１と、トランスＴ１の二次巻線Ｌｓと平滑コンデンサＣ３の直列回路と、スイッチ素子Ｑ１のオフ期間にトランスＴ１の二次巻線Ｌｓの放電経路を構成するダイオードＤ３とを備え」る構成は、いわゆるフライバック型のコンバータであり、本件発明１の「前記電力変換部は、インダクタンス素子の一次巻線及び第１コンデンサの第１直列回路と、前記一次巻線と直列に接続されて前記出力制御部によってオン・オフされるスイッチング素子と、前記スイッチング素子のオフ時に前記一次巻線の放電経路を構成するダイオードとを備えた降圧チョッパ回路」と、「前記電力変換部は、インダクタンス素子の一次巻線と直列に接続されて前記出力制御部によってオン・オフされるスイッチング素子を備えた回路」である限度で一致する。
（オ）　上記「（ア）」、「（イ）」の相当関係より、引用発明の「集積回路ＩＣは、トランスＴ１の補助巻線Ｌｂに発生する電圧を動作電源と」する構成は、本件発明１の「前記出力制御部は、前記インダクタンス素子の二次巻線に発生する電圧を動作電源と」する構成と、「前記出力制御部は、前記インダクタンス素子の巻線に発生する電圧を動作電源と」する構成である限度で一致する。
（カ）　引用発明の「集積回路ＩＣは、起動電流が供給されるＶＨ端子を備え」ることは、制御回路ＩＣがＶＨ端子に起動電流が供給されることで動作を開始することを意味し、また、「ＶＨ端子は、交流電源ＡＣを交流入力としたダイオードブリッジＤ１の出力の一端に接続され」ることは、交流電源ＡＣが供給された後にＶＨ端子から電流供給されることを意味しているのは明らかである。そして、集積回路ＩＣは、出力負荷に出力を供給する電力変換部の制御を行うものである（上記（ア）、（イ）参照）。
　引用発明の「集積回路ＩＣは、起動電流が供給されるＶＨ端子を備え、ＶＨ端子は、交流電源ＡＣを交流入力としたダイオードブリッジＤ１の出力の一端に接続され」ることは、集積回路ＩＣは、交流電源ＡＣが供給された後に起動電流がＶＨ端子に供給され、出力負荷に出力を供給する電力変換部の制御を行うことを含むので、本件発明１の「前記出力制御部は、前記電源電圧が供給された後、前記出力制御部の動作電源電圧が所定電圧に達したときに動作を開始して点灯動作が開始される」ことと、「前記出力制御部は、前記電源電圧が供給された後、動作を開始して出力負荷に出力が開始される」限度で一致する。
（キ）　引用発明の「電源起動時に急にパルス幅が最大状態となることを防止し、徐々にターンオン期間を広げる」ことは、ソフトスタートに係るものであること（摘示（１ｃ）【００４９】）及び上記「（ア）」の相当関係を鑑みれば、本件発明１の「点灯開始からの所定期間における前記ＬＥＤ光源への供給電流が、定常時における前記ＬＥＤ光源への供給電流よりも小さくなるように、前記所定期間における前記スイッチング素子のオン時間を、定常時における前記スイッチング素子のオン時間よりも短くしたこと」と、「電源起動からの所定期間における前記出力負荷への供給電流が、定常時における前記出力負荷への供給電流よりも小さくなるように、前記所定期間における前記スイッチング素子のオン時間を、定常時における前記スイッチング素子のオン時間よりも短くしたこと」の限度で一致する。
（ク）　引用発明の「ＡＣ／ＤＣスイッチング電源回路」は、本件発明１の「ＬＥＤ点灯装置」と「スイッチング電源回路」である限度で一致する。
イ　以上によれば、本件発明１と引用発明との一致点、相違点は以下のとおりである。
［一致点］
　「電源電圧を所定の直流電圧に変換して出力負荷に出力する電力変換部と、
　前記電力変換部の出力を制御する出力制御部と、
　前記出力制御部に動作電源を供給する制御電源部とを備え、
　前記電力変換部は、インダクタンス素子の一次巻線と直列に接続されて前記出力制御部によってオン・オフされるスイッチング素子を備えた回路からなり、
　前記出力制御部は、前記インダクタンス素子の巻線に発生する電圧を動作電源とし、前記出力制御部は、前記電源電圧が供給された後、動作を開始して出力負荷に出力が開始されるものであって、電源起動からの所定期間における前記出力負荷への供給電流が、定常時における前記出力負荷への供給電流よりも小さくなるように、前記所定期間における前記スイッチング素子のオン時間を、定常時における前記スイッチング素子のオン時間よりも短くしたスイッチング電源回路。」
［相違点１］
　本件発明１は、「インダクタンス素子の一次巻線及び第１コンデンサの第１直列回路と、一次巻線と直列に接続されて出力制御部によってオン・オフされるスイッチング素子と、スイッチング素子のオフ時に一次巻線の放電経路を構成するダイオードとを備えた降圧チョッパ回路から」なる「電力変換部」の負荷が「ＬＥＤ光源」である「ＬＥＤ点灯装置」であり、「電力変換部の出力を制御する出力制御部」が「点灯開始からの所定期間におけるＬＥＤ光源への供給電流が、定常時におけるＬＥＤ光源への供給電流よりも小さくなるように、所定期間におけるスイッチング素子のオン時間を、定常時におけるスイッチング素子のオン時間よりも短くした」ものであるのに対して、引用発明は、「トランスＴ１の一次巻線Ｌｐと直列に接続されて集積回路ＩＣによってオン／オフされるスイッチ素子Ｑ１と、トランスＴ１の二次巻線Ｌｓと平滑コンデンサＣ３の直列回路と、スイッチ素子Ｑ１のオフ期間にトランスＴ１の二次巻線Ｌｓの放電経路を構成するダイオードＤ３とを備え」た、いわゆるフライバック型のコンバータであり、出力負荷が特定されておらず、出力負荷とは関係なく「電源起動時に急にパルス幅が最大状態となることを防止し、徐々にターンオン期間を広げる」ものである点。
［相違点２］
　本件発明１は、「制御電源部は、抵抗及び第２コンデンサの第２直列回路を有し、第２直列回路における抵抗側の端部がインダクタンス素子の二次巻線に電気的に接続され、かつ抵抗と第２コンデンサとの接続点が出力制御部に電気的に接続され」たものであるのに対し、引用発明は、「集積回路ＩＣに動作電源を供給する」のが「トランスＴ１の補助巻線Ｌｂ、整流用ダイオードＤ２及び平滑コンデンサＣ２」によるものであり、補助巻線Ｌｂから電圧を得るものであり、抵抗を有していない点。
［相違点３］
　本件発明１は、「出力制御部」は、電源電圧が供給された後、「出力制御部の動作電源電圧が所定電圧に達したときに動作を開始して点灯動作が開始される」ものであるのに対して、引用発明は、交流電源ＡＣが供給された後に起動電流がＶＨ端子に供給されるものの、所定電圧に達したときとは特定されていない点。
ウ　判断
　まず、相違点１について判断する。
　本件特許の明細書には次の記載がある。
「【０００５】
　上述の特許文献１に示したＬＥＤ点灯装置では、起動時においてインダクタンス素子を流れる電流はキャパシタンス素子に充電されていくが、このときＬＥＤ光源への供給電流が大きいとキャパシタンス素子は緩やかに立ち上がることになる。そして、上記駆動制御部の動作電源が点灯回路部の出力側から供給されている場合には、キャパシタンス素子の緩やかな立ち上がりに比例して動作電源からの制御電流も緩やかに立ち上がることになり、その結果、上記駆動制御部への動作電源が安定するまでに時間を要するものであった。また、動作電源からの制御電流が急峻に立ち上がるように構成した場合には、上記駆動制御部への供給電流が増加することになり、上記駆動制御部又は動作電源での電力ロスが増大する虞があった。
【０００６】
　本発明は上記問題点に鑑みて為されたものであり、その目的とするところは、出力制御部への動作電源が安定するまでの時間を短縮させたＬＥＤ点灯装置及びそれを用いた照明器具を提供することにある。」
「【００２４】
　ここで、図３はＬＥＤ点灯装置の動作を説明するための別のグラフである。直流電源１から電源電圧が供給され、起動回路（図示せず）から出力制御部３へ制御用起動電流が供給された後、動作電源電圧が所定電圧に達する時刻ｔ３のときに、出力制御部３が動作を開始して点灯動作が開始される。出力制御部３の制御回路３１は、ＬＥＤランプ５の負荷電流Ｉ３がＩ３１となるように制御信号を作成し、駆動回路３２に出力する。駆動回路３２は、制御回路３１から出力された制御信号に従ってスイッチング素子Ｑ１のオン時間／オンオフ周期が小さくなるようにオン・オフ時間を制御し、ＬＥＤランプ５の負荷電流Ｉ３をＩ３１に設定する。
【００２５】
　次に、制御回路３１は、時刻ｔ４のときに、ＬＥＤランプ５の負荷電流Ｉ３がＩ３２（Ｉ３２＞Ｉ３１）となるように制御信号を作成し、駆動回路３２に出力する。駆動回路３２は、制御回路３１から出力された制御信号に従ってスイッチング素子Ｑ１のオン時間／オンオフ周期が大きくなるようにオン・オフ時間を制御し、ＬＥＤランプ５の負荷電流Ｉ３をＩ３２に設定する。
【００２６】
　すなわち、本実施形態では、点灯開始からの所定期間（本例では図３（ａ）中の時刻ｔ３から時刻ｔ４の間）におけるＬＥＤランプ５の負荷電流Ｉ３（＝Ｉ３１）が、定常時（図３（ａ）中の時刻ｔ４以降）におけるＬＥＤランプ５の負荷電流Ｉ３（＝Ｉ３２）よりも小さくなるように、スイッチング素子Ｑ１のオン・オフ時間を制御している。その結果、点灯開始時におけるコンデンサＣ１の立ち上がりが急峻になり、それに伴ってインダクタンス素子Ｌ１の二次巻線ｎ２に発生する電圧も急峻に立ち上がるため、制御電源部４から出力制御部３への動作電源が安定するまでの時間を短縮することができる。
【００２７】
　さらに、時刻ｔ３から時刻ｔ４の間の所定期間においては、インダクタンス素子Ｌ１の二次巻線ｎ２に発生する電圧は、スイッチング素子Ｑ１のオン時間／オンオフ周期が小さくなることによって正電圧が発生する期間の比率が増加することになり、制御電源部４から出力制御部３への供給電流は増加し、動作電源が安定するまでの時間を大幅に短縮することができる。また、時刻ｔ４以降は、スイッチング素子Ｑ１のオン時間／オンオフ周期が大きくなることによって正電圧が発生する期間の比率が低下し、制御電源部４から出力制御部３への供給電流は低下するため、出力制御部３又は制御電源部４での電力ロスを低減することができる。」
　上記記載によれば、本件発明１は、「出力制御部への動作電源が安定するまでの時間を短縮させたＬＥＤ点灯装置及びそれを用いた照明器具を提供する」（段落【０００６】）ことを目的として、「出力制御部は」、「点灯開始からの所定期間におけるＬＥＤ光源への供給電流が、定常時におけるＬＥＤ光源への供給電流よりも小さくなるように、所定期間におけるスイッチング素子のオン時間を、定常時におけるスイッチング素子のオン時間よりも短くした」との構成を有するものであり、前記の目的の達成とともに「点灯開始時におけるコンデンサＣ１の立ち上がりが急峻になり」（段落【００２６】）との効果も得るものである。
　本件発明１は、相違点１に係る構成、すなわち、電力変換部である降圧チョッパ回路の負荷が「ＬＥＤ光源」であることを前提とした、「点灯開始からの所定期間におけるＬＥＤ光源への供給電流が、定常時におけるＬＥＤ光源への供給電流よりも小さくなるように、所定期間におけるスイッチング素子のオン時間を、定常時におけるスイッチング素子のオン時間よりも短くした」との構成により、降圧チョッパ回路内の二次巻線から得られる動作電源を早期に安定化させるとともに、降圧チョッパ回路の出力端のコンデンサＣ１の立ち上がりを並列に接続されるＬＥＤ光源の特性を考慮して急峻になるようにするものであるといえる。
　これに対して、引用発明の「ＡＣ／ＤＣスイッチング電源回路」は、出力負荷が特定されておらず、出力負荷の特性とは関係なく「電源起動時に急にパルス幅が最大状態となることを防止し、徐々にターンオン期間を広げる」との制御を行うものである。
　引用発明は、動作初期の段階で負荷に供給される電流を小さくする点で本件発明１と類似するものの、負荷がＬＥＤ光源と特定されていないことから、本件発明１のようなＬＥＤ光源を負荷としたときの、その特性に基づいた特有の効果（コンデンサＣ１の立ち上がりを急峻とする）を予測しうるとはいえない。
　そうすると、本件発明１は、相違点１に係る構成により顕著な効果を有するといえるので、スイッチング電源回路が種々の装置に用いることができるものであり、ＬＥＤ光源の点灯装置として用いることも従来周知の技術（引用文献２、３参照）であり、更に、降圧チョッパ回路の回路構成が引用文献４に示されているとしても、引用発明を相違点１に係る本件発明１の構成を備えるものとすることは、当業者にとって容易想到とはいえない。
　よって、引用発明を、相違点１に係る本件発明１の構成とすることは、当業者が容易に想到しうるとはいえない。
　したがって、相違点２、３について判断するまでもなく、本件発明１は、引用発明、引用文献４に記載の事項及び周知の事項から当業者が容易に発明をすることができたものではない。
（３−２）　本件発明２〜４について
　本件発明２〜４は、本件発明１のすべての事項を含み更に減縮したものであるから、「（３−１）ウ」で述べたと同様の理由により、引用発明、引用文献４に記載の事項及び周知の事項から当業者が容易に発明をすることができたものではない。
２　取消理由２について
（１）　概要
　取消理由２の概要は以下のとおりである。
ア　段落【００２６】の記載に関して、ＬＥＤランプ５の負荷電流Ｉ３を定常時よりも小さくすることと、「コンデンサＣ１の立ち上がりが急峻になり、それに伴ってインダクタンス素子Ｌ１の二次巻線ｎ２に発生する電圧も急峻に立ち上がる」こととの因果関係が不明であり、そのことによって、なぜ「動作電源が安定するまでの時間を大幅に短縮することができる」のかが不明。
イ　段落【００２７】の記載に関して、「スイッチング素子Ｑ１のオン時間／オンオフ周期が小さくなる」とする根拠が不明。
ウ　よって、本件特許の発明の詳細な説明は、経済産業省令で定めるところにより記載されたものでなく、また、当業者が本件発明１〜４の実施をすることができる程度に明確かつ十分に記載したものでない。
（２）　判断
ア　本件特許の発明の詳細な説明の段落【００１４】〜【００１８】には、点灯装置の具体的な回路構成が記載されており、【図１】を併せみれば、電力変換部２のコンデンサＣ１には、ＬＥＤランプ５が並列に接続された回路構成であることが理解できる。
　ＬＥＤに印加される電圧が順電圧に向かって下げられるときに、電流値が徐々に制限されていくことは技術常識といえる。
　前記のようなＬＥＤランプ５とコンデンサＣ１とが並列に接続された回路構成において、ＬＥＤランプ５の負荷電流Ｉ３を小さくし制限していったときに、負荷電流Ｉ３が制限された分、並列に接続されていたコンデンサＣ１に流れ込む電流が、ＬＥＤランプ５の負荷電流Ｉ３を大きくしていたときよりも増えることは、前記のＬＥＤにおける電圧電流特性に関する技術常識を鑑みれば十分に理解できることといえる。
　したがって、段落【００２６】のＬＥＤランプ５の負荷電流Ｉ３を定常時よりも小さくすることと、「コンデンサＣ１の立ち上がりが急峻」になることとの因果関係は、発明の詳細な説明及び図面に記載されている回路構成から理解できる。
イ　上記「ア」で述べたとおり、ＬＥＤランプ５の負荷電流Ｉ３を定常時よりも小さくすることは、ＬＥＤに印加される電圧を順電圧に向かって下げていくことであり、電力変換部である降圧チョッパ回路の出力電圧を下げていくことである。
　降圧チョッパ回路の出力電圧を下げることは、すなわち、降圧チョッパ回路を構成しているスイッチング素子のオン時間／オンオフ周期（いわゆるデューティ比）を小さくしていくことであるので、その分オフ時間／オンオフ周期が大きくなることは明らかである。
　オフ時間／オンオフ周期が大きくなれば、段落【００２７】の記載から、インダクタンス素子Ｌ１の二次巻線ｎ２に正電圧が発生する期間の比率が増加し、制御電源部４から出力制御部３への供給電流は増加し、動作電源が安定するまでの時間を大幅に短縮できると理解しうる。
　したがって、段落【００２６】のＬＥＤランプ５の負荷電流Ｉ３を定常時よりも小さくすることと、「インダクタンス素子Ｌ１の二次巻線ｎ２に発生する電圧も急峻に立ち上がる」こととの因果関係、及び、「動作電源が安定するまでの時間を大幅に短縮することができる」ことの原理、並びに、段落【００２７】の「スイッチング素子Ｑ１のオン時間／オンオフ周期が小さくなる」とする根拠は、発明の詳細な説明及び図面に記載されている回路構成から理解できる。
　以上のとおりであるので、本件特許の発明の詳細な説明は、経済産業省令で定めるところにより記載されたものであり、当業者が本件発明１〜４の実施をすることができる程度に明確かつ十分に記載したものであるといえる。
３　取消理由通知において採用しなかった特許異議申立理由について
　申立人は申立書において、本件特許の発明の詳細な説明の段落【００２６】の記載が当業者にとって理解できないものであることを前提として、特許請求の範囲の請求項に係る発明と、発明の詳細な説明に記載したものとが実質的に対応していないとして、特許法第３６条第６項第１号の要件を満たさない旨主張しているが（申立書３３頁下から５行〜３４頁４行参照）、上記「２」で述べたとおり、発明の詳細な説明の記載は当業者が本件発明１〜４を実施することができる程度に明確かつ十分に記載したものであるといえ、申立人の主張は前提において誤りであり、また、本件発明１〜４と発明の詳細な説明の記載とが対応していないとする理由もない。
第６　むすび
　以上のとおりであるから、取消理由及び特許異議申立理由によっては、本件請求項１〜４に係る特許を取り消すことはできない。
　また、他に本件請求項１〜４に係る特許を取り消すべき理由を発見しない。
　よって、結論のとおり決定する。
【異議決定日】
平成２９年６月３０日（２０１７．６．３０）
【訂正の要旨】
審決（決定）の【理由】欄参照。
（５４）【発明の名称】
ＬＥＤ点灯装置及びそれを用いた照明器具
　【技術分野】
　【０００１】
　本発明は、ＬＥＤ点灯装置及びそれを用いた照明器具に関するものである。
　【背景技術】
　【０００２】
　従来より、ＬＥＤ光源に点灯電力を供給するＬＥＤ点灯装置が提供されている（例えば特許文献１参照）。このＬＥＤ点灯装置は、直流電源から入力される電圧を所定の直流電圧に変換して出力する点灯回路部と、点灯回路部の出力電圧の急激な変化を抑制する保護回路部と、点灯回路部の出力電圧を検出する電圧検出回路部と、ＬＥＤ光源に流れる電流を検出するための電流検出用抵抗とを備える。また、点灯回路部は、直流電源の高電圧側に一端が接続されるインダクタンス素子と、インダクタンス素子の他端にアノードが接続される逆流防止用のダイオードと、インダクタンス素子の他端と直流電源の低電圧側との間に接続されるスイッチング素子と、ダイオードのカソードと直流電源の低電圧側との間に接続されるキャパシタンス素子と、点灯回路部の出力電圧を制御する駆動制御部とで構成される。
　【０００３】
　このＬＥＤ点灯装置では、駆動制御部が、電流検出用抵抗によりＬＥＤ光源に流れる電流を検出し、その検出結果をスイッチング素子のオン・オフ制御にフィードバックすることで、ＬＥＤ光源に流れる電流が予め設定した目標値となるように点灯回路部の出力電圧を調整する。その結果、直流電源の電圧値が変動してもＬＥＤ光源を均一な明るさで点灯させることができる。
　【先行技術文献】
　【特許文献】
　【０００４】
　【特許文献１】特開２００６−２１０２７１号公報（段落［００３１］−段落［００３６］、及び、第１図）
　【発明の概要】
　【発明が解決しようとする課題】
　【０００５】
　上述の特許文献１に示したＬＥＤ点灯装置では、起動時においてインダクタンス素子を流れる電流はキャパシタンス素子に充電されていくが、このときＬＥＤ光源への供給電流が大きいとキャパシタンス素子は緩やかに立ち上がることになる。そして、上記駆動制御部の動作電源が点灯回路部の出力側から供給されている場合には、キャパシタンス素子の緩やかな立ち上がりに比例して動作電源からの制御電流も緩やかに立ち上がることになり、その結果、上記駆動制御部への動作電源が安定するまでに時間を要するものであった。また、動作電源からの制御電流が急峻に立ち上がるように構成した場合には、上記駆動制御部への供給電流が増加することになり、上記駆動制御部又は動作電源での電力ロスが増大する虞があった。
　【０００６】
　本発明は上記問題点に鑑みて為されたものであり、その目的とするところは、出力制御部への動作電源が安定するまでの時間を短縮させたＬＥＤ点灯装置及びそれを用いた照明器具を提供することにある。
　【課題を解決するための手段】
　【０００７】
　本発明のＬＥＤ点灯装置は、電源電圧を所定の直流電圧に変換してＬＥＤ光源に出力する電力変換部と、電力変換部の出力を制御する出力制御部と
、出力制御部に動作電源を供給する制御電源部と
の一次巻線
第１
第１
一次巻線
一次巻線
降圧
制御電源部は、抵抗及び第２コンデンサの第２直列回路を有し、第２直列回路における抵抗側の端部がインダクタンス素子の二次巻線に電気的に接続され、かつ抵抗と第２コンデンサとの接続点が出力制御部に電気的に接続され、
、二
出力制御部は、電源電圧が供給された後、出力制御部の動作電源電圧が所定電圧に達したときに動作を開始して点灯動作が開始されるものであって、
　【０００８】
　このＬＥＤ点灯装置において、出力制御部は、
一次巻線
　【０００９】
　また、このＬＥＤ点灯装置において、出力制御部は、
一次巻線
一次巻線
　【００１０】
　本発明の照明器具は、上記のＬＥＤ点灯装置と、ＬＥＤ光源が機械的且つ電気的に接続されるランプソケットと、ＬＥＤ点灯装置及びランプソケットを保持する器具本体とを備えていることを特徴とする。
　【発明の効果】
　【００１１】
　出力制御部への動作電源が安定するまでの時間を短縮させたＬＥＤ点灯装置及び照明器具を提供することができるという効果がある。
　【図面の簡単な説明】
　【００１２】
　【図１】本実施形態のＬＥＤ点灯装置の概略回路図である。
　【図２】（ａ）〜（ｃ）は同上の動作を説明するためのグラフである。
　【図３】（ａ）〜（ｃ）は同上の動作を説明するための別のグラフである。
　【図４】同上を用いた照明器具の外観斜視図である。
　【発明を実施するための形態】
　【００１３】
　以下に、ＬＥＤ点灯装置及び照明器具の実施形態を図１〜図４に基づいて説明する。
　【００１４】
　本実施形態のＬＥＤ点灯装置は、図１に示すように、直流電源１の出力電圧（電源電圧）を所定の直流電圧に変換してＬＥＤランプ（ＬＥＤ光源）５に出力する電力変換部２と、電力変換部２の出力を制御する出力制御部３と、出力制御部３に動作電源を供給する制御電源部４とを備える。
　【００１５】
　電力変換部２は、インダクタンス素子Ｌ１及びコンデンサＣ１の直列回路と、インダクタンス素子Ｌ１と直列に接続されて出力制御部３によってオン・オフされるスイッチング素子Ｑ１（例えばバイポーラトランジスタや電界効果トランジスタなど）と、スイッチング素子Ｑ１のオフ時にインダクタンス素子Ｌ１の放電経路を構成するダイオードＤ１とを備えたチョッパ回路からなる。
　【００１６】
　出力制御部３は、ＬＥＤランプ５を流れる電流（負荷電流）がフィードバックされ、当該電流値が予め設定された目標値となるように制御信号を作成して出力する制御回路３１と、制御回路３１から出力される制御信号に従って電力変換部２のスイッチング素子Ｑ１を駆動する駆動回路３２とを備える。駆動回路３２には、インダクタンス素子Ｌ１の二次巻線ｎ２が接続されており、この二次巻線ｎ２に発生する電圧を検出することで、インダクタンス素子Ｌ１の一次巻線ｎ１に流れる電流を検出できるようになっている。また、制御回路３１には、抵抗Ｒ１の一端側（抵抗Ｒ１の高電圧側）が接続されており、ＬＥＤランプ５に流れる電流に応じた電圧が入力されるようになっている。なお、動作については後述する。
　【００１７】
　制御電源部４は、抵抗Ｒ２及びコンデンサＣ２の直列回路と、インダクタンス素子Ｌ１の二次巻線ｎ２にアノードが接続されるとともに抵抗Ｒ２にカソードが接続されたダイオードＤ２とを備え、インダクタンス素子Ｌ１の二次巻線ｎ２に発生する電圧を動作電源として出力制御部３に供給する。ここに本実施形態では、図１に示すように、インダクタンス素子Ｌ１の一次巻線ｎ１に流れる電流を検出するための巻線を、電源供給用の二次巻線ｎ２で兼用しており、上記電流を検出するための巻線を別に設けなくてもいいことから、コストアップを抑えたＬＥＤ点灯装置を提供することができる。
　【００１８】
　ＬＥＤランプ５は、複数のＬＥＤ５ａ…が直列接続された状態で実装されたプリント基板（図示せず）と、透光性材料（例えばガラスなど）により長尺の直管状に形成された発光管５ｂ（図４参照）と、発光管５ｂの両端部に設けられた口金（図示せず）とを備える。上記のプリント基板は、発光管５ｂの内部に収納されるとともに少なくとも一方の口金と電気的に接続され、この口金を介して電力変換部２から供給される直流電源により複数のＬＥＤ５ａ…が点灯するのである。
　【００１９】
　次に、ＬＥＤ点灯装置の動作について図２を参照しながら説明する。時刻ｔ０のときに出力制御部３の駆動回路３２から出力された駆動信号（オン信号）により電力変換部２のスイッチング素子Ｑ１がオンにされると、スイッチング素子Ｑ１に電流Ｉ１が流れ始めるとともにインダクタンス素子Ｌ１にも同じ大きさの電流Ｉ２（Ｉ２＝Ｉ１）が流れ始める。このとき、インダクタンス素子Ｌ１の二次巻線ｎ２には負極性の電圧Ｖ１が発生する。
　【００２０】
　続けて、時刻ｔ１のときにスイッチング素子Ｑ１がオフにされると、スイッチング素子Ｑ１に流れる電流Ｉ１はゼロになるが、インダクタンス素子Ｌ１には、スイッチング素子Ｑ１のオン時に蓄積したエネルギーが放出され、時間の経過とともに比例的に減少する電流Ｉ２が流れる（図２（ｂ）参照）。このとき、インダクタンス素子Ｌ１の二次巻線ｎ２には正極性の電圧Ｖ１が発生する。
　【００２１】
　そして、時刻ｔ２のときにインダクタンス素子Ｌ１に流れる電流Ｉ２がゼロになると、再びスイッチング素子Ｑ１がオンにされ、スイッチング素子Ｑ１に電流Ｉ１が流れ始めるとともにインダクタンス素子Ｌ１にも同じ大きさの電流Ｉ２が流れ始める。このとき、インダクタンス素子Ｌ１の二次巻線ｎ２には負極性の電圧Ｖ１が発生する。
　【００２２】
　以下同様にして、スイッチング素子Ｑ１がオン・オフを繰り返すことでコンデンサＣ１には所定の点灯電力が蓄積され、この点灯電力によりＬＥＤランプ５が点灯するのである。
　【００２３】
　ここに本実施形態では、出力制御部３が、インダクタンス素子Ｌ１の二次巻線ｎ２によりインダクタンス素子Ｌ１の一次巻線ｎ１に流れる電流を検出し、この検出値がゼロになるタイミングでスイッチング素子Ｑ１をオンにする臨界モードでスイッチング素子Ｑ１の動作を制御している。また本実施形態では、インダクタンス素子Ｌ１の一次巻線ｎ１に蓄積させた電荷を放電する期間（図２（ａ）中の時刻ｔ１から時刻ｔ２の間）に二次巻線ｎ２に発生する正極性の電圧を出力制御部３の動作電源としている。
　【００２４】
　ここで、図３はＬＥＤ点灯装置の動作を説明するための別のグラフである。直流電源１から電源電圧が供給され、起動回路（図示せず）から出力制御部３へ制御用起動電流が供給された後、動作電源電圧が所定電圧に達する時刻ｔ３のときに、出力制御部３が動作を開始して点灯動作が開始される。出力制御部３の制御回路３１は、ＬＥＤランプ５の負荷電流Ｉ３がＩ３１となるように制御信号を作成し、駆動回路３２に出力する。駆動回路３２は、制御回路３１から出力された制御信号に従ってスイッチング素子Ｑ１のオン時間／オンオフ周期が小さくなるようにオン・オフ時間を制御し、ＬＥＤランプ５の負荷電流Ｉ３をＩ３１に設定する。
　【００２５】
　次に、制御回路３１は、時刻ｔ４のときに、ＬＥＤランプ５の負荷電流Ｉ３がＩ３２（Ｉ３２＞Ｉ３１）となるように制御信号を作成し、駆動回路３２に出力する。駆動回路３２は、制御回路３１から出力された制御信号に従ってスイッチング素子Ｑ１のオン時間／オンオフ周期が大きくなるようにオン・オフ時間を制御し、ＬＥＤランプ５の負荷電流Ｉ３をＩ３２に設定する。
　【００２６】
　すなわち、本実施形態では、点灯開始からの所定期間（本例では図３（ａ）中の時刻ｔ３から時刻ｔ４の間）におけるＬＥＤランプ５の負荷電流Ｉ３（＝Ｉ３１）が、定常時（図３（ａ）中の時刻ｔ４以降）におけるＬＥＤランプ５の負荷電流Ｉ３（＝Ｉ３２）よりも小さくなるように、スイッチング素子Ｑ１のオン・オフ時間を制御している。その結果、点灯開始時におけるコンデンサＣ１の立ち上がりが急峻になり、それに伴ってインダクタンス素子Ｌ１の二次巻線ｎ２に発生する電圧も急峻に立ち上がるため、制御電源部４から出力制御部３への動作電源が安定するまでの時間を短縮することができる。
　【００２７】
　さらに、時刻ｔ３から時刻ｔ４の間の所定期間においては、インダクタンス素子Ｌ１の二次巻線ｎ２に発生する電圧は、スイッチング素子Ｑ１のオン時間／オンオフ周期が小さくなることによって正電圧が発生する期間の比率が増加することになり、制御電源部４から出力制御部３への供給電流は増加し、動作電源が安定するまでの時間を大幅に短縮することができる。また、時刻ｔ４以降は、スイッチング素子Ｑ１のオン時間／オンオフ周期が大きくなることによって正電圧が発生する期間の比率が低下し、制御電源部４から出力制御部３への供給電流は低下するため、出力制御部３又は制御電源部４での電力ロスを低減することができる。
　【００２８】
　なお、上記の点灯動作中は、ＬＥＤランプ５の負荷電流に応じた電圧が制御回路３１にフィードバックされ、制御回路３１はこの電圧値が予め設定した目標値となるように制御信号を作成し、駆動回路３２に出力する。そして、駆動回路３２は、制御回路３１から出力された制御信号に従ってスイッチング素子Ｑ１のオン・オフ時間を制御し、ＬＥＤランプ５の負荷電流Ｉ３を所定値（本例ではＩ３１又はＩ３２）に設定するのである。
　【００２９】
　ここで、上記起動回路は、直流電源１から電源電圧が供給されてから点灯動作が開始されるまでの間に、出力制御部３へ動作電源電圧を供給できる構成であるならどのような構成でもよい。
　【００３０】
　次に、図４は本実施形態の照明器具を示す外観斜視図であり、本照明器具は、上述したＬＥＤ点灯装置と、ＬＥＤランプ５が機械的且つ電気的に接続される一対のランプソケット６，６と、天井に直付けされる器具本体７とを備える。
　【００３１】
　器具本体７は、長手方向から見た側面形状が台形である長尺の角筒状に形成され、その内部にはＬＥＤ点灯装置が収納されている。そして、器具本体７の下面における長手方向両端部には、それぞれランプソケット６，６が配設されている。これらのランプソケット６，６は、従来周知である直管形の蛍光ランプ用のランプソケットと同一構造を有しており、ＬＥＤランプ５の両端部に設けられた各口金（図示せず）をそれぞれランプソケット６，６に装着させることで、ＬＥＤランプ５がランプソケット６，６に機械的且つ電気的に接続される。
　【００３２】
　而して、上述のＬＥＤ点灯装置を用いることによって、出力制御部３への動作電源が安定するまでの時間を短縮させた照明器具を提供することができる。
　【符号の説明】
　【００３３】
１　直流電源
２　電力変換部
３　出力制御部
５　ＬＥＤランプ（ＬＥＤ光源）
Ｃ１　コンデンサ
Ｄ１　ダイオード
Ｌ１　インダクタンス素子
Ｑ１　スイッチング素子
ｎ２　二次巻線
（５７）【特許請求の範囲】
　【請求項１】
　電源電圧を所定の直流電圧に変換してＬＥＤ光源に出力する電力変換部と、
　前記電力変換部の出力を制御する出力制御部と
、
　
前記出力制御部に動作電源を供給する制御電源部と
　前記電力変換部は、インダクタンス素子
の一次巻線
第１
第１
一次巻線
一次巻線
降圧
　
前記制御電源部は、抵抗及び第２コンデンサの第２直列回路を有し、前記第２直列回路における前記抵抗側の端部が前記インダクタンス素子の二次巻線に電気的に接続され、かつ前記抵抗と前記第２コンデンサとの接続点が前記出力制御部に電気的に接続され、
　前記出力制御部は、前
記二
　
前記出力制御部は、前記電源電圧が供給された後、前記出力制御部の動作電源電圧が所定電圧に達したときに動作を開始して点灯動作が開始されるものであって、
　ことを特徴とするＬＥＤ点灯装置、
　【請求項２】
　前記出力制御部は、前記
一次巻線
　ことを特徴とする請求項１記載のＬＥＤ点灯装置。
　【請求項３】
　前記出力制御部は、前記
一次巻線
　前記
一次巻線
　ことを特徴とする請求項１又は２記載のＬＥＤ点灯装置。
　【請求項４】
　請求項１〜３の何れか１項に記載のＬＥＤ点灯装置と、
　前記ＬＥＤ光源が機械的且つ電気的に接続されるランプソケットと、
　前記ＬＥＤ点灯装置及び前記ランプソケットを保持する器具本体とを備えている
　ことを特徴とする照明器具。